(57)【要約】【課題】場所に基づく移動式電子デバイスの再構成。【解決手段】移動式電子デバイスを構成するシステム及び方法が提供される。システムは、車両と、第１の作動方式、及び第１の作動方式と異なる第２の作動方式を含む移動式電子デバイスと、車両内に位置決めされ、かつ移動式電子デバイスをワイヤレス充電するようになっているワイヤレス充電システムとを含む。移動式電子デバイスは、車両の外側で第１の作動方式で作動し、ワイヤレス充電システムは、移動式電子デバイスが車両の内側にあるときに移動式電子デバイスを識別し、移動式電子デバイスの作動が、移動式電子デバイスが車両内にある状態で、第１の作動方式から第２の作動方式に切り替わる。【選択図】図３
2014121094.tif 000002
【特許請求の範囲】
【請求項１】
車両と、
第１の作動方式、及び前記第１の作動方式と異なる第２の作動方式を含む移動式電子デバイスと、
前記車両内に位置決めされ、かつ前記移動式電子デバイスをワイヤレス充電するようになっているワイヤレス充電システムと、を備え、
前記移動式電子デバイスは、前記車両の外側で前記第１の作動方式で作動し、前記ワイヤレス充電システムは、前記移動式電子デバイスが前記車両の内側にあるときに前記移動式電子デバイスを識別し、前記移動式電子デバイスの作動が、前記移動式電子デバイスが前記車両の内側にある状態で、前記第１の作動方式から前記第２の作動方式に切り替わる、システム。
【請求項２】
前記ワイヤレス充電システムは、前記移動式電子デバイスが前記ワイヤレス充電システムに近接しているときに前記移動式電子デバイスを識別する、請求項１に記載のシステム。
【請求項３】
前記ワイヤレス充電システムは、前記移動式電子デバイスが前記ワイヤレス充電システムの表面に位置決めされたときに、前記移動式電子デバイスを識別する、請求項１に記載のシステム。
【請求項４】
前記ワイヤレス充電システムは、前記移動式電子デバイスと通信し、前記移動式電子デバイスは、前記ワイヤレス充電システムからの通信の結果、作動を前記第２の作動方式に切り替える、請求項１に記載のシステム。
【請求項５】
前記ワイヤレス充電システムは、前記移動式電子デバイスに信号を送信し、前記信号は、前記車両内に位置決めされている前記移動式電子デバイスに関するデータを含む、請求項１に記載のシステム。
【請求項６】
前記移動式電子デバイスは、メモリと、前記第２の作動方式と関連付けられた前記メモリ内に記憶されたデータプロファイルとを含み、前記移動式電子デバイスは、前記信号を受信し、前記メモリから前記データプロファイルを取り出し、かつ前記データプロファイルと関連付けられた前記第２の作動方式で作動する、請求項５に記載のシステム。
【請求項７】
前記移動式電子デバイスは、前記移動式電子デバイスが前記車両の内側から取り出されたときに、作動を前記第１の作動方式に戻す、請求項１に記載のシステム。
【請求項８】
前記移動式電子デバイスは、前記移動式電子デバイスが前記車両の内側から取り出されたときに、作動を、前記第１の作動方式及び前記第２の作動方式と異なる第３の作動方式に切り替える、請求項１に記載のシステム。
【請求項９】
前記移動式電子デバイスは、移動式電子通信デバイス、携帯電話、スマートフォン、タブレット、ラップトップコンピュータ、無線電話、及び携帯型オーディオプレーヤーのうちの１つである、請求項１に記載のシステム。
【請求項１０】
第１の作動方式、及び前記第１の作動方式と異なる第２の作動方式を含む移動式電子デバイスと、
ある場所に位置決めされたワイヤレス充電システムであって、前記移動式電子デバイスが前記場所に近接する状態で、前記移動式電子デバイスをワイヤレス充電し、かつ前記移動式電子デバイスと通信するようになっているワイヤレス充電システムと、を備え、
前記移動式電子デバイスは、前記場所から遠位で、前記第１の作動方式で作動し、前記ワイヤレス充電システムは、前記移動式電子デバイスが前記場所に近接した状態で、前記移動式電子デバイスを識別し、前記移動式電子デバイスの作動が、前記ワイヤレス充電システムからの通信の結果、前記第１の作動方式から前記第２の作動方式に切り替わる、システム。
【請求項１１】
前記ワイヤレス充電システムは、前記移動式電子デバイスに信号を送信し、前記信号は、前記場所に関するデータを含む、請求項１０に記載のシステム。
【請求項１２】
前記移動式電子デバイスは、メモリと、前記第２の作動方式と関連付けられた前記メモリ内に記憶されたデータプロファイルとを含み、前記移動式電子デバイスは、前記信号を受信し、前記メモリから前記データプロファイルを取り出し、かつ前記データプロファイルと関連付けられた前記第２の作動方式で作動する、請求項１１に記載のシステム。
【請求項１３】
前記場所は、車両、寝室、台所、小売場所、商業的場所、及び住居のうちの１つである、請求項１０に記載のシステム。
【請求項１４】
移動式電子デバイスを作動させる方法であって、
車両外部で移動式電子デバイスを第１の作動方式で作動させることと、
前記移動式電子デバイスを前記車両内に持ち込むことと、
前記移動式電子デバイスを前記車両内に位置決めされたワイヤレス充電システムに近接して位置決めすることと、
前記移動式電子デバイスと前記ワイヤレス充電システムとの間の通信を確立することと、
前記移動式電子デバイスと前記ワイヤレス充電システムとの間の通信の結果、前記移動式電子デバイスの作動を前記第１の作動方式と異なる第２の作動方式に切り替えることと、を含む、方法。
【請求項１５】
前記移動式電子デバイスを位置決めすることは、前記移動式電子デバイスを前記ワイヤレス充電システムの表面に位置決めすることを更に含む、請求項１４に記載の方法。
【請求項１６】
通信を確立することは、前記ワイヤレス充電システムを用いて信号を前記移動式電子デバイスに送信することを更に含み、前記信号は、前記車両内に位置決めされている前記移動式電子デバイスに関するデータを含む、請求項１４に記載の方法。
【請求項１７】
前記移動式電子デバイスは、メモリと、前記第２の作動方式と関連付けられた、前記メモリ内に記憶されたデータプロファイルとを含み、前記方法は、
前記移動式電子デバイスで前記信号を受信することと、
前記メモリから前記データプロファイルを取り出すことと、
前記データプロファイルと関連付けられた前記第２の作動方式で前記移動式電子デバイスを作動させることと、を更に含む、請求項１６に記載の方法。
【請求項１８】
前記移動式電子デバイスを前記車両から取り出し、前記移動式電子デバイスが前記車両の内側から取り出された状態で、前記移動式電子デバイスの作動を前記第１の作動方式に戻すことを更に含む、請求項１４に記載の方法。
【請求項１９】
前記移動式電子デバイスを前記車両から取り出し、前記移動式電子デバイスが前記車両から取り出された状態で、前記第１の作動方式及び前記第２の作動方式と異なる第３の作動方式で、前記移動式電子デバイスを作動させることを更に含む、請求項１４に記載の方法。
【請求項２０】
前記移動式電子デバイスは、移動式電子通信デバイス、携帯電話、スマートフォン、タブレット、ラップトップコンピュータ、無線電話、及び携帯型オーディオプレーヤーのうちの１つである、請求項１４に記載の方法。
【発明の詳細な説明】
【技術分野】
【０００１】
本発明は、概略的には移動式電子デバイスの場所に基づく移動式電子デバイスの再構成に関し、より詳細には、移動式電子デバイスが、ある場所の遠位にあるときの第１の作動方式から、移動式電子デバイスが前記場所の近位にあるときの第２の作動方式へ移動式電子デバイスを再構成することに関する。
【背景技術】
【０００２】
電話、スマートフォン、タブレットなどの移動式電子デバイスは、多種多様な作動を可能にする多種多様な特徴を有する。移動式電子デバイスのある特徴及び作動は、ある場所又は現場では所望されるか又は適切であるが、別の場所では所望されないか又は適切ではない。移動式電子デバイスのある特徴及び作動が所望されるか又は適切である多くの場所が存在する。
【０００３】
そのような一例として寝室が挙げられる。ユーザーは睡眠時に邪魔されたくないため、ユーザーは移動式電子デバイスをサイレントモード又は電源オフモードにすることを望む。
【０００４】
いくつかの特徴及び作動が望ましく、他の特徴及び作動が望ましくない別の例示的な場所として、車両が挙げられる。移動式電子デバイスの作動のいくつかはユーザーからの著しい注意を必要とし、かつ／あるいはユーザーの手でデバイスを操作することをユーザーに要求する。ユーザーの注意及び手の使用は多くの状況で容認されるが、このような注意及び手の使用は、例えば、自動車などの車両内にユーザーがいるときには望ましくない。多くの州及び国では、車内にいる間、ユーザーに移動式電子デバイスのある操作を行うことを禁止する法律がある。このような法律がない州及び国であっても、移動式電子デバイスのある操作を行うことが危険な場合がある。したがって、ユーザーが法律に従うため、及び／又は安全目的のために、ユーザーは乗車時に、ユーザーがユーザー自身の移動式電子デバイスの作動を手動で変更する場合がある。ユーザーは、移動式電子デバイスの様々なボタン及びメニューを手動で操作し、移動式電子デバイスの作動を状況に応じて望ましい又は適切な作動方式に再構成する。この手動操作は、時間がかかり、ユーザーが間違えると、所望又は適切なデバイスの再構成をもたらさないことがある。
【発明の概要】
【発明が解決しようとする課題】
【０００５】
先行システム及び方法のうちの１つ以上の問題点を克服する装置、システム、及び方法が必要とされる。
【課題を解決するための手段】
【０００６】
一態様では、システムが提供され、そのシステムは、車両と、第１の作動方式及び第１の作動方式と異なる第２の作動方式を有する移動式電子デバイスと、車両内に位置決めされ、かつ移動式電子デバイスをワイヤレス充電するようになっているワイヤレス充電システムとを含む。移動式電子デバイスは、車両の外側で第１の作動方式で作動し、ワイヤレス充電システムは、移動式電子デバイスが車両の内側にあるときに移動式電子デバイスを識別し、移動式電子デバイスの作動が、移動式電子デバイスが車両の内側にある状態で、第１の作動方式から第２の作動方式に切り替わる。
【０００７】
別の態様では、システムが提供され、そのシステムは、第１の作動方式及び第１の作動方式と異なる第２の作動方式を含む移動式電子デバイスと、ある場所に位置決めされたワイヤレス充電システムとを含む。ワイヤレス充電システムは、移動式電子デバイスが前記場所に近接する状態で、移動式電子デバイスをワイヤレス充電し、かつ移動式電子デバイスと通信するようになっている。移動式電子デバイスは、前記場所から遠位で、第１の作動方式で作動する。ワイヤレス充電システムは、移動式電子デバイスが前記場所に近接した状態で、移動式電子デバイスを識別し、これと通信する。移動式電子デバイスは、ワイヤレス充電システムからの通信の結果、第１の作動方式から第２の作動方式に切り替わる。
【０００８】
さらなる態様では、移動式電子デバイスを作動させる方法が提供され、その方法は、車両外部で移動式電子デバイスを第１の作動方式で作動させることと、移動式電子デバイスを車両内に持ち込むことと、車両内に位置決めされるワイヤレス充電システムに近接して移動式電子デバイスを位置決めすることと、移動式電子デバイスとワイヤレス充電システムとの間の通信を確立することと、移動式電子デバイスとワイヤレス充電システムとの間の通信の結果、移動式電子デバイスの作動を第１の作動方式と異なる第２の作動方式に切り替えることとを含む。
【０００９】
本発明の範囲は、添付の特許請求の範囲によってのみ定義され、この概要内の記述に影響されない。
【００１０】
本発明は、以下の図面及び説明を参照しながらより良く理解することができる。図中の構成要素は、必ずしも一定の比率の縮尺ではなく、それよりむしろ本発明の原理を示すことを強調する。
【図面の簡単な説明】
【００１１】
【図１】一実施形態による、本発明の原理が実践され得る例示的な車両を含む例示的な環境又はシステムであり、車両が車両内に位置決めされる例示的なワイヤレス充電システムを示す。
【図２】一実施形態による、図１に示す本システムの例示的なワイヤレス充電システム及び例示的な移動式電子デバイスの拡大斜視図である。
【図３】一実施形態による、図１に示す本システムの例示的な車両の概略図である。
【図４】一実施形態による、図１に示す本システムの例示的な移動式電子デバイスの概略図である。
【図５】一実施形態による、図１に示す本システムの例示的な作動のうちの少なくとも一部分のフローチャートである。
【図６】一実施形態による、図１に示す本システムの例示的な作動のうちの少なくとも別の部分のフローチャートである。
【図７】一実施形態による、図１に示す本システムの例示的な作動のうちの少なくとも更なる部分のフローチャートである。
【発明を実施するための形態】
【００１２】
図１を参照すると、本発明の原理が実践される例示的な環境又はシステム２０が示される。システム２０は、移動式電子デバイス２４の場所に基づいて移動式電子デバイス２４の作動を自動的に再構成するようになっている。図示した例示的な実施形態では、システム２０は、場所として車両２２を含む。図示した車両２２は、単に例示的な車両であり、限定するものではない。それよりむしろ、任意の種類の車両が本発明の原理を含んでもよい。さらに、システム２０は、任意の場所で移動式電子デバイス２４の作動を自動的に再構成するようになっている。他の例示的な場所としては、家もしくは他の住居、寝室、台所、事務所、コーヒー店、演奏会、小売場所、商業が生じる場所、又は任意の他の場所が挙げられるが、これらに限定されない。本発明の原理は、任意の場所に適用することができ、このような場所のすべては、本発明の趣旨及び範囲内であることが意図される。
【００１３】
以下の説明及び関連付けられた図は、移動式電子デバイスの作動が自動的に再構成される場所として車両を識別する。車両の記載は、本発明に限定するものではなく、それよりむしろ、本発明の原理を説明するため提示される。
【００１４】
図示した例示的な実施形態では、システム２０は、デバイス２４が車両２２の外部に位置するときの第１の作動方式からデバイス２４が車両２２の内部に位置するときの第２の作動方式に移動式電子デバイス２４の作動を自動的に再構成するようになっている。システム２０はまた、任意の種類の移動式電子デバイス２４を自動的に再構成するようになっている。例示的な移動式電子デバイスとしては、携帯電話、無線電話、ｉＰｈｏｎｅｓ（登録商標）、Ｂｌａｃｋｂｅｒｒｙ（登録商標）のスマートフォン、Ａｎｄｒｏｉｄ（登録商標）対応のスマートフォンなどのスマートフォン、タブレット、他の移動式電子通信デバイス、ラップトップコンピュータ、携帯型オーディオプレーヤーなどが挙げられるが、これらに限定されない。任意の特定の種類の移動式電子デバイスの本明細書における説明及び図解は、単に本発明の原理を説明するものであり、限定するものではない。
【００１５】
引き続き図１を参照し、更に図２を参照すると、例示的な車両２２は、車両２２の作動中、乗客によって占められことがある客室２８と、移動式電子デバイス２４を充電するために客室２８の内部に位置する充電システム３２とを含む。充電システム３２は、移動式電子デバイス２４を充電するようになっている任意の種類の充電システムであってもよい。図示した例示的な実施形態では、充電システム３２は、ワイヤレス充電システムである。しかしながら、充電システム３２はまた、有線の充電システムであってもよい。ワイヤレス充電システム３２は、移動式電子デバイス２４を適切に充電するために、ワイヤレス充電システムによく見られる必要な機械的かつ電気的構成要素のすべてを含む。ワイヤレス充電システム３２が移動式電子デバイス２４を適切に充電するために、デバイス２４は、ワイヤレス充電システム３２に近接して位置決めされなければならない。
【００１６】
図示した例示的な実施形態では、ワイヤレス充電システム３２は、移動式電子デバイス２４が上に置かれるか又は支持され得る表面３６を有する。デバイス２４がワイヤレス充電システム３２に近接して十分に近づけられると、又はデバイス２４がワイヤレス充電システム３２の表面３６に置かれると、ワイヤレス充電システム３２が、移動式電子デバイス２４を充電し始める。
【００１７】
図３は、図１に示す例示的な車両２２を概略的に示す。車両２２は、電源４０（例えば、車両バッテリー）と、ワイヤレス充電システム３２と、デバイス２４が車両２２内に位置決めされたときの移動式電子デバイス２４とを含む。車両電源４０とワイヤレス充電システム３２との間の電力の伝送は、有線接続であってもよい。図示した例示的な実施形態では、ワイヤレス充電システム３２と移動式電子デバイス２４との間の電力伝送及び通信は、ワイヤレスであるのがよい。変形例として、前述のように、充電システム３２はまた、有線の充電システムであってもよい。したがって、このような変形例では、充電システムと移動式電子デバイス２４との間の電力伝送及び通信は、ワイヤー又はケーブル伝いでもよい。
【００１８】
図４は、システム２０の例示的な移動式電子デバイス２４を概略的に示す。移動式電子デバイス２４は、搭載電源４４と、プロセッサ又は中央処理装置（ＣＰＵ：central processing unit）４８と、メモリ５２と、通信要素５６と、ワイヤレス充電要素６０とを含む。搭載電源４４は、任意の種類のバッテリーであってもよいが、好ましくは移動式電子デバイス２４によく使用されるバッテリーであってもよい。搭載電源４４は、デバイス２４の作動を容易にするように移動式電子デバイス２４及びその構成要素に電力を供給するようになっている。プロセッサ／ＣＰＵ４８は、本発明の原理を達成するために、必要な作動を行うことができる限り、任意の種類のプロセッサ又はＣＰＵであってもよい。プロセッサ／ＣＰＵ４８は、移動式電子デバイス２４のすべての作動を達成するために、搭載電源４４、メモリ５２、通信要素５６、及びワイヤレス充電要素６０と通信する。メモリ５２は、任意の種類のデータを記憶するようになっている、例えば、ＲＡＭ、ＲＯＭなどの任意の種類のメモリであり得る。図示した例示的な実施形態では、メモリ５２は、ユーザー定義のデータプロファイル６４、所定のデータプロファイル６８、及び他の種類のデータ７２を記憶するようになっている（以下により詳細に記載される）。通信要素５６は、１つ以上の他のデバイスとの任意の種類の通信を達成するためにすべての必要な構成要素を含む。通信としては、例えば、セルラー方式通信、ローカルエリアネットワーク（ＬＡＮ）通信、広域ネットワーク（ＷＡＮ）通信、Ｂｌｕｅｔｏｏｔｈ（登録商標）通信、Ｗｉ−Ｆｉ通信などが挙げられてもよい。例えば、通信要素５６は、例示的な種類の通信のうちの少なくとも一部を行うように、送信部７６及び受信部８０、送受信部８４、又は任意の他の種類の送信及び受信デバイスを含む。ワイヤレス充電要素６０は、デバイス２４のワイヤレス充電を達成するために、移動式電子デバイス２４に必要とされるすべての構成要素を含む。ワイヤレス充電要素６０の構成要素は、移動式電子デバイス２４の搭載電源４４をワイヤレス充電するように、車両ワイヤレス充電システム３２内のワイヤレス充電構成要素と協働する。前述のように、システム２０の充電システム３２は、有線の充電システムであってもよく、したがって、移動式電子デバイス２４は、デバイス２４の有線の充電を達成するために、移動式電子デバイス２４に必要とされるすべての構成要素を含む充電要素を含むであろう。
【００１９】
システム２０は、デバイス２４がワイヤレス充電システム３２の表面３６に近接するか又は表面３６に置かれると、移動式電子デバイス２４の作動を自動的に再構成するようになっている。移動式電子デバイス２４は、デバイス２４の多くの特徴及び機能の結果、多種多様な方式で作動されてもよい。移動式電子デバイス２４は、ユーザーが歩き回っているか、働いているか、そうでなければ車両２２に乗っていないか又は車両２２を運転していないときに、１つの様式で作動するのがよく、ユーザーが車両２２に乗っているか又は車両２２を運転しているときに、異なる様式で作動するのがよい。例えば、ユーザーが車両２２の外側であるときに、ユーザーが手でデバイス２４を持ちながら移動式電子デバイス２４で直接携帯電話をかけてもよく、あるいは、ユーザーは、デバイス２４と車両電話システムとの間のＢｌｕｅｔｏｏｔｈ（登録商標）通信を介してハンズフリーモードで、移動式電子デバイス２４で携帯電話をかけてもよい。この例示的なデバイス作動の変更は、生じ得る多くの可能な作動変更のうちの単に１つであり、本発明の原理を説明するように提示され、限定するものではない。それよりむしろ、移動式電子デバイス２４の作動は、多くの異なる様式で変更されてもよく、このような可能性のすべては、本発明の一部であることが意図される。
【００２０】
次に図５を参照すると、移動式電子デバイス２４の作動のうちの少なくとも一部分が記載される。移動式電子デバイス２４は、デバイス２４が車両２２の外部であるときに、第１の作動方式で作動する（ステップ１００）。次に、移動式電子デバイス２４は、車両２２内に持ち込まれ（ステップ１０４）、ワイヤレス充電システム３２の表面３６に近接するか又は置かれてもよい（ステップ１０８）。車両２２内のワイヤレス充電システム３２は、移動式電子デバイス２４がワイヤレス充電システム３２の表面３６に近いか又はその表面上であることを識別する（ステップ１１２）。ワイヤレス充電システム３２は、移動式電子デバイス２４と通信し（ステップ１１６）、デバイス２４は、ワイヤレス充電システム３２との通信を認識する（ステップ１２０）。移動式電子デバイス２４がワイヤレス充電システム３２との通信を認識すると、デバイス２４は、車内の作動と関連付けられた第２の作動方式で作動するようにそれ自体を自動的に再構成する（ステップ１２４）。第２の作動方式は、第１の作動方式と異なる。第１の方式と第２の方式との間の作動の違いは、任意の種類の作動変更であってもよい。
【００２１】
次に図６を参照すると、図５に示されるステップ１１６〜１２４と関連付けられるより多くの詳細が記載される。ステップ１１６及びワイヤレス充電システム３２と移動式電子デバイス２４との間の通信に関して、ワイヤレス充電システム３２は、信号が車両２２内に位置決めされているデバイス２４に関するデータを含んだ状態で、移動式電子デバイス２４に信号を送信し（ステップ１２８）、移動式電子デバイス２４は、ワイヤレス充電システム３２からの信号を受信する（ステップ１３２）。ステップ１２０及びデバイス２４がワイヤレス充電システム３２との通信を認識することに関して、信号及び関連データが移動式電子デバイス２４のプロセッサ／ＣＰＵ４８によって受信され（ステップ１３６）、プロセッサ／ＣＰＵ４８は、信号内に含まれたデータが車両２２内に位置しているデバイス２４に関連することを認識する（ステップ１４０）。ステップ１２４及びデバイス２４が車内の作動と関連付けられた第２の方式で作動するようにデバイス自体を自動的に再構成することに関して、プロセッサ／ＣＰＵ４８が移動式電子デバイス２４のメモリ５２と通信し（ステップ１４４）、プロセッサ／ＣＰＵ４８は、車内の作動に関する第２の方式でデバイス２４を作動することと関連付けられたメモリ５２内に記憶されたデータプロファイル６４、６８を識別し、取り出す（ステップ１４８）。車内の作動と関連付けられたデータプロファイルは、ユーザー作成データプロファイル６４であってもよく、あるいは、データプロファイルは、所定のデータプロファイル６８（例えば、工場設定データプロファイル、第三者によって作成されたデータプロファイル、又はユーザーによって購入され、かつメモリ５２にダウンロードされたデータプロファイル）であってもよい。次に、プロセッサ／ＣＰＵ４８は、移動式電子デバイス２４の作動特性をメモリ５２から取り出されたデータプロファイル６４、６８と相関する第２の作動方式に切り替える（ステップ１５２）。
【００２２】
図７は、移動式電子デバイス２４が車両２２から取り出されるときに、システム２０の作動のうちの少なくとも一部分を含むフローチャートを示す。前述のように、デバイス２４は、ワイヤレス充電システム３２に近接するか又はその上に位置決めされるときに第２の様式で作動するように再構成される。移動式電子デバイス２４は、ワイヤレス充電システム３２から取り出されてもよく（ステップ１５６）、それによってデバイス２４のワイヤレス充電システム３２との通信が切れる（ステップ１６０）。移動式電子デバイス２４は、ワイヤレス充電システム３２との通信の切断を認識し（ステップ１６４）、デバイス２４は、第１の作動方式を自動的に再構成するか又はそれに戻る（ステップ１６８）。あるいは、移動式電子デバイス２４は、第１の作動方式及び第２の作動方式と異なる第３の作動方式を再構成するか又はそれに変更してもよい。第３の作動方式は、メモリ５２内に記憶されたデータプロファイル６４、６８のうちの１つと関連付けられてもよい。デバイス２４は、いずれの数の様式でも作動するように自動的に再構成することができ、データプロファイル６４、６８の補数がデバイス２４のメモリ５２内に記憶されてもよい。
【００２３】
移動式電子デバイス２４及びワイヤレス充電システム３２は、デバイス２４又はワイヤレス充電システム３２のいずれかに対する変更又は追加の要素なしに互いに通信し、再構成することが可能にされてもよい。すなわち、本発明の原理のすべては、デバイス２４及びワイヤレス充電システム３２によって、それらが製造されたときに、達成されることが可能である。あるいは、移動式電子デバイス２４及びワイヤレス充電システム３２のうちの１つ又は両方は、デバイス２４とワイヤレス充電システム３２との間の通信及び再構成を可能にするアプリケーション（例えば、ソフトウェア）、抱き合わせ商品、又はいくつかの他の追加の要素を必要としてもよい。例えば、デバイス２４がワイヤレス充電システム３２からの通信を受信することを可能にするように、アプリケーションが移動式電子デバイス２４にダウンロードされてもよい。
【００２４】
本発明の１つ以上の実施形態は、移動式電子デバイスの場所に基づいた移動式電子デバイスの自動的な再構成を提供することによって、１つ以上の現在のシステム又は方法によって経験される１つ以上の問題点を低減することができる。本発明の１つ以上の実施形態はまた、１つ以上の他の既存のシステム及び方法に関してさらなる利点を有することができる。
【００２５】
要約書は、読者が本技術的開示の本質を迅速に解明することを可能にするために提供される。これが特許請求の範囲の範囲又は意図を解釈するか又は限定するために使用されないことを理解して提出される。加えて、前述の発明を実施するための形態では、本発明を簡素化するために様々な特徴が様々な実施形態で共にグループ化されることが分かる。この開示の方法は、特許請求される実施形態がそれぞれの請求項に明示的に記載されるより多くの特徴を必要とする意図を反映すると解釈されるべきではない。それよりむしろ、以下の特許請求の範囲が反映するように、発明の主題が単一の開示される実施形態のすべての特徴より少ない点にある。したがって、以下の特許請求の範囲は、それぞれの請求項が独立して特許請求される主題としてそれ自体が自立して、発明を実施するための形態に組み込まれる。
【００２６】
本明細書に記載される本主題の特定の態様が示され、記載されたが、本明細書の教示に基づいて、本明細書に記載される主題及びそのより広範な態様から逸脱することなく変更及び修正がなされてもよいことが当業者には明白であり、したがって、添付の特許請求の範囲は、本明細書に記載される主題の真の趣旨及び範囲内にあるものとして、その範囲内にすべてのこのような変更及び修正を包含するものである。さらに、本発明は、添付の特許請求の範囲によって定義されることが理解されるべきである。したがって、本発明は、添付の特許請求の範囲及びその均等物を考慮することを除いて限定されるべきではない。
【符号の説明】
【００２７】
２０  システム
２２  車両
２４  移動式電子デバイス
２８  客室
３２  ワイヤレス充電システム
３６  表面
４０  車両電源
４４  搭載電源
４８  プロセッサ／ＣＰＵ
５２  メモリ
５６  通信要素
６０  ワイヤレス充電要素
６４，６８  データプロファイル
７２  他の種類のデータ
７６  送信部
８０  受信部
８４  送受信部
【図１】
2014121094.tif 000003
【図２】
2014121094.tif 000004
【図３】
2014121094.tif 000005
【図４】
2014121094.tif 000006
【図５】
2014121094.tif 000007
【図６】
2014121094.tif 000008
【図７】
2014121094.tif 000009